(57)【要約】    【課題】  爬虫類や両生類に与えるのに適した固形飼料を提供する。    【解決手段】１０重量部〜３０重量部の飼料原料を、０．５重量部〜１５重量部のゲル化剤及び残部の水分によって、爬虫類・両生類が摂餌できかつ爬虫類・両生類の重さで壊れない硬さに固形化する。飼料原料には、野菜の粉末、穀物の粉末、動物質原料、果実の粉末、酵母、水溶性食物繊維、及び不溶性食物繊維の１又は複数を主成分として用いるのがよい。また、ゲル化剤は、寒天、ゼラチン、カラギーナン、あるいはキサンタンガムとローカストビーンズの混合物を用いることができる。また、ゲル化剤の重量部は、１重量部〜１５重量部の範囲内から爬虫類の大きさに応じて選ばれる値とするのがよい。【選択図】  なし【特許請求の範囲】
【請求項１】
爬虫類・両生類が摂餌するのに適した固形飼料であって、
１０重量部〜３０重量部の飼料原料が、０．５重量部〜１５重量部のゲル化剤及び残部の水分によって、爬虫類・両生類が摂餌できかつ爬虫類・両生類の重さで壊れない硬さに固形化されていることを特徴とする爬虫類・両生類の固形飼料。
【請求項２】
上記飼料原料は、野菜の粉末、穀物の粉末、動物質原料、果実の粉末、酵母、水溶性食物繊維、及び不溶性食物繊維の１又は複数を主成分としている請求項１記載の爬虫類・両生類の固形飼料。
【請求項３】
上記ゲル化剤は、寒天、ゼラチン、カラギーナン、あるいはキサンタンガムとローカストビーンズの混合物である請求項１記載の爬虫類・両生類の固形飼料。
【請求項４】
上記ゲル化剤の重量部は、０．５重量部〜１５重量部の範囲内から爬虫類・両生類の大きさに応じて選ばれる値である請求項１記載の爬虫類・両生類の固形飼料。
【発明の詳細な説明】
【技術分野】
【０００１】
本発明は爬虫類・両生類の固形飼料に関し、例えばリクガメ、トカゲ、蛙、イモリやサンショウウオなどに与えるのに適した飼料に関する。
【背景技術】
【０００２】
最近、趣味が多様化し、爬虫類や両生類を飼育する人が増える傾向にある。例えば、ケヅメリクガメ、ヒョウモンリクガメ、ソリガメなどのリクガメは動きが緩慢であり、しかも草食性で、キャベツ、レタス、小松菜、ノゲシ、タンポポなど、入手しやすい野菜や野草を餌として与えることができ、飼育しやすい。
【０００３】
また、とうもろこし粉、大豆皮、荒挽き大豆、グルテン、小麦胚芽などを主成分とし、水でふやかせて与えるようにしたリクガメ用の人工飼料なども提供されている。
【０００４】
なお、飼料原料に、ゼラチン、ペクチン、アラビアガム、マンナン、寒天、デンプン、卵白などのゲル化剤と水を混合し、ゲル化するようにした子牛や子豚などに適した配合飼料（特許文献１）、グルコマンナンの水和物のゲルをドッグフードやキャットフードに混和し、加熱して不可逆ゲル化するようにした飼育動物用飼料（特許文献２）、などが提案されている。
【０００５】
【特許文献１】特開２００１−８６４０号公報
【特許文献２】特開２０００−３１６４８５号公報
【発明の開示】
【発明が解決しようとする課題】
【０００６】
しかし、野菜や野草などの天然飼料はリクガメが足で踏みつけて傷みやすい。また、リクガメを飼育する場合には飼育環境を例えば２５°Ｃ〜３７°Ｃの温度に保持する必要があり、天然飼料を与えてから２時間も経過すると、飼料が乾燥してしまい、リクガメがもはや摂餌しなくなり、廃棄しなければならなかった。さらに、天然飼料は踏みつけられて潰れると、リクガメの甲羅、口まわり、足などに付着し、特に口まわりは踏みつけられた天然飼料が付着して汚れやすく、そのまま放置すると病気の原因になるおそれがあり、飼料を与えるたびにリクガメを洗う必要があり、煩雑であった。
【０００７】
他方、リクガメ用の人工飼料では水でふやかして与えるようにしているので、軟らかくなった飼料がリクガメの甲羅、口まわりや足に付着するという問題があった。
【０００８】
本発明はかかる問題点に鑑み、踏まれても傷み難く、又過酷な飼育環境においても乾燥し難く、さらには汚れの原因にならないようにした爬虫類・両生類の固形飼料を提供することを課題とする。
【課題を解決するための手段】
【０００９】
本発明に係る爬虫類・両生類の固形飼料は、爬虫類・両生類が摂餌するのに適した固形飼料であって、１０重量部〜３０重量部の飼料原料が、０．５重量部〜１５重量部のゲル化剤及び残部の水分によって、爬虫類・両生類が摂餌できかつ爬虫類・両生類の重さで壊れない硬さに固形化されていることを特徴とする。
【００１０】
本発明の特徴の１つは飼料原料を０．５重量部〜１５重量部のゲル化剤で固形化するようにした点にある。これにより、得られた固形飼料は子獣から成獣までの爬虫類や両生類が摂餌し得る軟らかさにでき、しかもゲルの特性上、爬虫類や両生類の過酷な飼育環境に長時間放置しても、飼料表面があまり乾燥せず、爬虫類や両生類が無理なく摂餌することができる。
【００１１】
また、０．５重量部〜１５重量部の範囲から爬虫類や両生類の大きさに応じた重量部のゲル化剤を用いると、得られた固形飼料は爬虫類や両生類が摂餌し得る軟らかさでありながら、爬虫類や両生類が踏みつけても壊れない程度の硬さになるので、野菜や野草などの天然飼料のように爬虫類や両生類が踏みつけてもそれほど傷むことはない。
【００１２】
本発明の更に他の特徴は飼料原料をゲル化剤によって固形化するようにした点にある。これにより、得られた固形飼料は水で軟らかくした人工飼料あるいは踏みつぶされた野菜や野草に比して爬虫類や両生類の甲羅、胴、口まわり、足などに付着し難く、爬虫類や両生類を清潔に保つことができる。
【００１３】
本発明の固形飼料はリクガメだけでなく、グリーンイグアナなどのトカゲ、その他の爬虫類、あるいは蛙、イモリやサンショウウオなどの両生類に与える飼料としても用いることができる。
【００１４】
固形化する飼料原料は、例えばリクガメやトカゲなどの爬虫類、蛙、イモリやサンショウウオなどの両生類が摂餌しえるもの、具体的には野菜の粉末、穀物の粉末、動物質原料、果実の粉末、酵母、水溶性食物繊維、不溶性食物繊維から選ばれる１又は複数を主成分とするのがよい。
【００１５】
例えば、野菜にはモロヘイヤ、チンゲン菜、小松菜、カボチャ、トマト、人参、キャベツ、レタス、アルファルファ、マリーゴールドなどを挙げることができる。また、果実にはバナナなどを挙げることができる。穀物（その副産物も含む）には小麦、大麦、米、とうもろこし、大豆、澱粉、グルテンなどを挙げることができる。また、動物質原料にはいか、アミエビ、サナギ、魚粉、貝などを挙げることができる。さらに、食物繊維にはチコリファイバー、イヌリン、コーンファイバー、アップルファイバー、発酵大豆ファイバー、えんどうファイバーを挙げることができる。
【００１６】
さらに、固形化する飼料原料には必要に応じて栄養補助成分や摂餌促進成分、例えば海苔や海草などの海産物、水産物由来の油脂、あるいは菓子屑、キトサン、ココアパウダー、ＣＭＣ、乳化剤、アミノ酸、アルギン酸Ｎａ、色素、消化酵素、βカロチン、水溶性大豆多糖類、食塩、リン酸塩、カルシウム、ポリデキストロース、ガーリックなどを添加することができる。
【００１７】
また、ゲル化剤は水分によってゲル化でき、かつ爬虫類・両生類が摂餌し得るものであればよい。例えば、寒天、ゼラチン、カラギーナン、キサンタンガムとローカストビーンズの混合物、グルコマンナン、アラビアガムなどを挙げることができる。
【００１８】
ゲル化剤の使用量は得られた固形飼料の０．５重量部〜１５重量部の範囲から選択される量とする。ゲル化剤が得られた固形飼料の０．５重量部未満では軟らかくなりすぎ、爬虫類や両生類が踏みつけると、簡単に潰れておそれがある一方、１５重量部を越えると、硬くなりすぎて、爬虫類や両生類が食いちぎることができなくなるおそれがあるからである。
【発明を実施するための最良の形態】
【００１９】
以下、本発明を実施例に基づいて説明する。
〔飼料原料例Ａ〕
【００２０】
カボチャ乾燥粉末４０重量部、バナナ乾燥粉末１０重量部、水溶性食物繊維２０重量部、不溶性食物繊維２０重量部、炭酸カルシウム５重量部及びビタミン類５重量部を混合して飼料原料Ａを製造した。
〔飼料原料例Ｂ〕
【００２１】
モロヘイヤ乾燥粉末４０重量部、コーングルテン乾燥粉末１０重量部、不溶性食物繊維２０重量部、炭酸カルシウム、５重量％及びビタミン類５重量％を混合して飼料原料Ｂを製造した。
〔飼料原料例Ｃ〕
【００２２】
トマト乾燥粉末４０重量％、人参乾燥粉末５重量％、コーングルテン乾燥粉末５重量％、不溶性食物繊維２０重量部、水溶性食物繊維２０重量％、炭酸カルシウム、５重量％及びビタミン類５重量％を混合して飼料原料Ｃを製造した。
〔実施例１〕
【００２３】
１０重量部の飼料原料Ａに１重量部の寒天粉末を加えて混合し、８９重量部の水を加えて加熱しながら、寒天が十分に溶解するまで攪拌した後、室温で放置して冷却し、固形飼料１を得た。
〔実施例２、３〕
【００２４】
１０重量部の飼料原料Ｂ、Ｃを用い、固形飼料１と同様にして固形飼料２、３を得た。    〔実施例４〕
【００２５】
１０重量部の飼料原料Ａに５重量部の寒天粉末を加えて混合し、８５重量部の水を加えて加熱しながら、寒天が十分に溶解するまで攪拌した後、室温で放置して冷却し、固形飼料４を製造した。
〔実施例５、６〕
【００２６】
１０重量部の飼料原料Ｂ、Ｃを用い、固形飼料４と同様にして固形飼料５、６を得た。    〔実施例７〕
【００２７】
１０重量部の飼料原料Ａに１０重量部の寒天粉末を加えて混合し、８０重量部の水を加えて加熱しながら、寒天が十分に溶解するまで攪拌した後、室温で放置して冷却し、固形飼料７を製造した。
〔実施例８、９〕
【００２８】
１０重量部の飼料原料Ｂ、Ｃを用い、固形飼料７と同様にして固形飼料８、９を得た。    〔実施例１０〕
【００２９】
１０重量部の飼料原料Ａに１５重量部の寒天粉末を加えて混合し、７５重量部の水を加えて加熱しながら、寒天が十分に溶解するまで攪拌した後、室温で放置して冷却し、固形飼料１０を得た。
〔実施例１１、１２〕
【００３０】
１０重量部の飼料原料Ｂ、Ｃを用い、固形飼料１０と同様にして固形飼料１１、１２を製造した。
〔実施例１３〜２５〕
【００３１】
１５重量部の飼料原料Ａ、Ｂ、Ｃと、１重量部、５重量部、１０重量部及び１５重量部の寒天及び残部の水を用い、固形飼料１〜１２と同様にして固形飼料１３〜２５を製造した。
〔実施例２６〜３８〕
【００３２】
２５重量部の飼料原料Ａ、Ｂ、Ｃと、１重量部、５重量部、１０重量部及び１５重量部の寒天及び残部の水を用い、固形飼料１〜１２と同様にして固形飼料２６〜３８を製造した。
〔実施例３９〜５１〕
【００３３】
３０重量部の飼料原料Ａ、Ｂ、Ｃと、１重量部、５重量部、１０重量部及び１５重量部の寒天及び残部の水を用い、固形飼料１〜１２と同様にして固形飼料２６〜３８を製造した。
〔実施例５２〜１０３〕
【００３４】
寒天に代え、ゼラチンを用いた以外、固形飼料１〜５１と同様にして固形飼料５２〜１０３を製造した。
〔実施例１０４〜１５５〕
【００３５】
寒天に代え、カラギーナンを用いた以外、固形飼料１〜５１と同様にして固形飼料１０４〜１５５を製造した。
〔実施例１５６〜２０７〕
【００３６】
寒天に代え、キサンタンガムとローカストビーンズの混合物を用いた以外、固形飼料１〜５１と同様にして固形飼料１５６〜２０７を製造した。
〔比較例２０８〜２２０〕
【００３７】
１０重量部の飼料原料Ａ、Ｂ、Ｃと、０．３重量部の寒天、ゼラチン、カラギーナン、キサンタンガムとローカストビーンズの混合物と残部の水を添加して固形飼料２０８〜２２０を製造した。
〔比較例２２１〜２３３〕
【００３８】
１０重量部の飼料原料Ａ、Ｂ、Ｃと、２０重量部の寒天、ゼラチン、カラギーナン、キサンタンガムとローカストビーンズの混合物と残部の水を添加して固形飼料２２１〜２３３を製造した。
【００３９】
製造した固形飼料１〜２３３を甲長２５ｃｍのケヅメリクガメに与えた。固形飼料（実施例）１〜２０７及び固形飼料（比較例）２０８〜２２０はケヅメリクガメが喰いちぎることができ、摂餌することが確認されたが、固形飼料（比較例）２２１〜２３３はケヅメリクガメが喰いちぎって摂餌することができなかった。
【００４０】
また、固形飼料（実施例）１〜２０７、固形飼料（比較例）２０８〜２２０及び固形飼料（比較例）２２１〜２３３のいずれもケヅメリクガメの飼育環境下に放置した時に、４時間が経過すると、表面が乾燥し始めたが、ケヅメリクガメが喰いちぎって摂餌していた。しかし、５時間後には表面が固くなってケヅメリクガメが摂餌しなくなった。
【００４１】
固形飼料（実施例）１〜２０７及び固形飼料（比較例）２２１〜２３３はケヅメリクガメが踏みつけても潰れなかったが、固形飼料（比較例）２０８〜２２０はケヅメリクガメが踏みつけると、潰れてしまった。
【００４２】
固形飼料（実施例）１〜２０７、固形飼料（比較例）２０８〜２２０及び固形飼料（比較例）２２１〜２３３のいずれもケヅメリクガメの甲羅などに付着しなかった。
【００４３】
甲長の異なる他のケヅメリクガメ、他のリクガメ、グリーンイグアナなどのトカゲ、その他の爬虫類、蛙、イモリやサンショウウオなどの両生類についても摂餌性及び耐潰れ性について確認したところ、甲長２５ｃｍのケヅメリクガメと同様の結果が確認された。
【００４４】
但し、爬虫類及び両生類のいずれであっても体長が大きいほど固形飼料を踏みつける荷重が大きくなるので、ゲル化剤の量を体長に応じて多くする方が望ましいことが確認された。
【００４５】
また、家庭で飼育できる体長のリクガメやグリーンイグアナなどの場合には寒天で１．５重量部〜３重量部、ゼラチンで２重量〜４重量部、カラギーナンで１．５重量部〜３重量部、キサンカンガム及びローカストビーンズで２重量部〜４重量部に調製するのがよいことが確認された。